(57)【要約】【課題】送信側から受信側へケーブルを介さずとも確実に伝達でき、他の装置への誤作動の発生を防止することができることで高い信頼性を図ることができる光伝送装置および表示装置を提供する。【解決手段】表示装置１は、表示データを生成して送信するコントローラ２を先頭に隣接配置された１以上のＬＥＤパネル３が縦続接続されている。この表示装置１は、表示データを示す電気信号を可視光信号に変換してＬＥＤパネル３へ送信するコントローラ２の送信部２２、および次段のＬＥＤパネル３へ可視光信号を送信するＬＥＤパネル３の送信部２２の発光部２２ａと、受信した可視光信号を電気信号に変換するＬＥＤパネル３の受信部３１の受光部３１ａとが対向配置されている。この送信部２２および受信部３１には、可視光信号の通信路を制限する制限部２２ｂ，３１ｂが設けられている。【選択図】図２
2010124172.tif 000002
【特許請求の範囲】
【請求項１】
隣接配置された第１の装置から第２の装置へ情報を伝達する光伝送装置において、
前記第１の装置に設けられ、前記第２の装置への電気信号を可視光信号に変換して前記第２の装置へ送信する送信部と、
前記第２の装置に設けられ、前記第１の装置からの可視光信号を受信して電気信号へ変換する受信部とが対向配置されていることを特徴とする光伝送装置。
【請求項２】
前記送信部には、前記受信部への可視光信号の出射範囲を制限する制限部が設けられている請求項１記載の光伝送装置。
【請求項３】
前記受信部には、前記送信部からの可視光信号が後方へ伝達することを制限する制限部が設けられている請求項１または２記載の光伝送装置。
【請求項４】
前記制限部は、通信方向に向かって開口部が形成された遮蔽部材である請求項２または３記載の光伝送装置。
【請求項５】
表示データを生成して送信するコントローラを先頭に、隣接配置された１以上の表示パネルが縦続接続された表示装置において、
表示データを示す電気信号を可視光信号に変換して前記表示パネルへ送信する前記コントローラの送信部、および／または次段の表示パネルへ可視光信号を送信する前記表示パネルの送信部と、受信した可視光信号を電気信号に変換する前記表示パネルの受信部とが対向配置されていることを特徴とする表示装置。
【請求項６】
前記送信部と前記受信部とのいずれか一方、または両方に、可視光信号の通信路を制限する制限部が設けられていることを特徴とする表示装置。
【発明の詳細な説明】
【技術分野】
【０００１】
本発明は、情報の伝達に光信号を用いた光伝送装置および表示装置に関する。
【背景技術】
【０００２】
装置間の信号の伝達は、装置間をケーブルなどで接続して電気信号によって行われている他、無線信号や光信号なども用いられている。
【０００３】
例えば、装置間がケーブル接続されているものとしてＬＥＤ（Light Emitting Diode）をマトリクス状に配置した表示装置がある。図７に示すように、表示パネル１ｘは、表示信号が生成されるコントローラ２ｘと、コントローラ２ｘに縦続接続された複数のＬＥＤパネル３ｘとを備えている。ＬＥＤパネル３ｘは、ＬＥＤがマトリクス状に配置された基板の裏面が回路搭載面となっている。このＬＥＤパネル３ｘがケーブルＣによって列状に縦続接続されたものが２列ほど隣接配置されることで、横長の表示面が形成されている。
【０００４】
光信号による伝達としては、一般的には携帯電話機同士で用いられているＩｒＤＡ（Infrared Data Association）規格による赤外線通信が知られている。また、テレビのリモコン装置も赤外線による通信である。
【０００５】
他の光信号による通信としては、例えば特許文献１に記載されたものがある。この特許文献１に記載の光空間伝送システムは、ＬＥＤ発光装置が受信装置に対して、ＬＥＤ照明光による情報伝送を一方向のみで行うだけでなく、受信装置がＬＥＤ発光装置に対して赤外線にて制御情報を送信できるようにしたため、ＬＥＤ発光装置はＬＥＤ照明光を送信すべきか否かの判断を事前に行うことができ、かつ受信装置の特性や意向を考慮に入れたＬＥＤ照明光を送信できるようにしたものである。
【特許文献１】特開２００４−２８２５４３号公報
【発明の開示】
【発明が解決しようとする課題】
【０００６】
しかし、電気信号はケーブルを介して伝達する場合では、ケーブルがアンテナとなって放射電波を放出してしまい近くに設置された電子機器の誤動作を招くだけでなく、ノイズがケーブルに混入することで誤動作の原因となるおそれある。また、ケーブルの電線の被覆には、加工が簡単で低廉であり、優れた自己消火性を有することから塩化ビニル樹脂が多用されているが、塩素を含んでいるので燃焼すると塩化水素ガスを発生し、燃焼条件によっては有害なダイオキシンを発生するおそれがある。被覆は、近年では塩ビフリーと呼ばれるポリエチレン混合物に代わりつつあるが、安全性の面やコストの面から現状では採用し難い面がある。
【０００７】
赤外線信号による伝達はケーブルを必要としないので、前述のような心配はないが、表示装置のコントローラとＬＥＤパネルとの間の通信に採用した場合には、赤外線信号の回り込みや反射などにより、コントローラからの信号がコントローラと通信するＬＥＤパネルだけでなく、他のＬＥＤパネルへも到達してしまうため、誤動作を引き起こすおそれがある。
【０００８】
同様に、特許文献１に記載の光空間伝送システムの構成を、表示装置のコントローラとＬＥＤパネルとの間の通信に採用した場合には、ＬＥＤ発光装置が受信装置に対して、ＬＥＤ照明光により情報伝送を行っているので、幅広く伝搬してしまい誤動作のおそれがある。
【０００９】
そこで本発明は、送信側から受信側へケーブルを介さずとも確実に伝達でき、他の装置への誤作動の発生を防止することができることで高い信頼性を図ることができる光伝送装置および表示装置を提供することを目的とする。
【課題を解決するための手段】
【００１０】
本発明は、第１の装置と第２の装置とが隣接配置され、可視光信号を送信する発光部と可視光信号を受信する受信部とが対向配置されていることを特徴とする。
【発明の効果】
【００１１】
本発明は、送信側から受信側へケーブルを介さずとも確実に伝達でき、他の装置への誤作動の発生を防止することができるので、高い信頼性を図ることができる。
【発明を実施するための最良の形態】
【００１２】
本願の第１の発明は、隣接配置された第１の装置から第２の装置へ情報を伝達する光伝送装置において、第１の装置に設けられ、第２の装置への電気信号を可視光信号に変換して第２の装置へ送信する送信部と、第２の装置に設けられ、第１の装置からの可視光信号を受信して電気信号へ変換する受信部とが対向配置されていることを特徴としたものである。
【００１３】
本発明の光伝送装置は、情報を伝達する信号として可視光信号を用いている。可視光信号は赤外線信号と比較して波長が短いため反射や回り込みが少ないので、隣接配置された第１の装置の送信部と第２の装置の受信部とが対向配置されることで、送信部からの可視光信号が他の受信部へ到達し難くなる。従って、他の受信部への影響を抑えることができるので、送信側から受信側へケーブルを介さずとも確実に伝達でき、他の装置への誤作動の発生を防止することができる。ここで可視光とは、紫外線と赤外線との間の波長で、人の目に見える波長の光を言い、３６０ｎｍ〜８３０ｎｍの範囲の光を言う。
【００１４】
本願の第２の発明は、第１の発明において、送信部には、受信部への可視光信号の出射範囲を制限する制限部が設けられていることを特徴としたものである。
【００１５】
第２の発明においては、送信部に制限部が設けられているので、送信部からの可視光信号の出射範囲が制限されることで、可視光信号は送信部と対向配置された受信部以外への広がりが抑制される。従って、第１の装置の送信部からの可視光信号が、予定していない他の受信部へ到達することで、他の第２の装置が誤動作してしまうことを防止することができる。
【００１６】
本願の第３の発明は、第１または第２の発明において、受信部には、送信部からの可視光信号が後方へ伝達することを制限する制限部が設けられていることを特徴としたものである。
【００１７】
第３の発明においては、受信部に制限部が設けられているので、送信部からの可視光信号が、後方に位置する他の受信部に到達することが抑制される。従って、第１の装置の送信部からの可視光信号が、予定していない他の受信部へ到達することで、他の第２の装置が誤動作してしまうことを防止することができる。
【００１８】
本願の第４の発明は、第２または第３の発明において、制限部は、通信方向に向かって開口部が形成された遮蔽部材であることを特徴としたものである。
【００１９】
第４の発明においては、制限部を通信方向に向かって開口部が形成された遮蔽部材とすることで簡単な構造で確実に可視光信号を遮光することで制限することができる。
【００２０】
本願の第５の発明は、表示データを生成して送信するコントローラを先頭に、隣接配置された１以上の表示パネルが縦続接続された表示装置において、表示データを示す電気信号を可視光信号に変換して表示パネルへ送信するコントローラの送信部、および／または次段の表示パネルへ可視光信号を送信する表示パネルの送信部と、受信した可視光信号を電気信号に変換する表示パネルの受信部とが対向配置されていることを特徴としたものである。
【００２１】
本発明の表示装置は、情報を伝達する信号として可視光信号を用いている。可視光信号は赤外線信号と比較して波長が短いため反射や回り込みが少ないので、コントローラと表示パネル、および／または表示パネル同士が隣接配置され、送信部と受信部とが対向配置されていることで、送信部からの可視光信号は、他の受信部へ到達し難くなる。従って、他の受信部への影響を抑えることができるので、送信側から受信側へケーブルを介さずとも確実に伝達でき、他の装置への誤作動の発生を防止することができる。
【００２２】
本願の第６の発明は、第５の発明において、送信部と受信部とのいずれか一方、または両方に、可視光信号の通信路を制限する制限部が設けられていることを特徴としたものである。
【００２３】
第６の発明においては、制限部が可視光信号の通信路を制限するので、送信部からの信号が受信部に到達する以外、他の受信部に到達してしまうことを抑制することができる。従って、送信部からの可視光信号が、予定していない他の受信部へ到達することで、表示パネルが誤動作してしまうことを防止することができる。
【００２４】
（実施の形態）
本発明の実施の形態に係る表示装置を、図面に基づいて説明する。図１は、本発明の実施の形態に係る表示装置を示す斜視図である。図２は、図１に示す表示装置の構成を示す図である。図３は、ＬＥＤパネルの構成を示す図である。なお、図２においては、便宜上、発光部と受光部とをそれぞれ１組ずつ図示しているが、信号線分ほど備えている。
【００２５】
図１および図２に示すように、表示装置１は、駅や施設などに設置され、各種の情報を単色、１階調で表示するものである。表示装置１は、直方体状の金属製の筐体Ｆ内に、表示データや制御コマンドを送信するコントローラ２と、この表示データや制御コマンドに基づいて表示を行うことで表示パネルとして機能するＬＥＤパネル３とが収納されている。コントローラ２には、ＬＥＤパネル３が４枚ずつ２列ほど縦続接続されている。
【００２６】
コントローラ２には、表示データ生成部２１と、送信部２２とが設けられている。表示データ生成部２１は、ＬＥＤパネル３に送信される表示データや制御コマンドを生成して送信部２２へ電気信号として出力する機能を備えている。
【００２７】
送信部２２は、表示データおよび制御コマンドを可視光信号として出力する発光部２２ａと可視光信号の通信路を制限する制限部２２ｂとを備えている。
【００２８】
発光部２２ａは、電気信号を可視光信号へ電気信号の電流の度合いに応じて変換する光電変換素子である。本実施の形態では、発光部２２ａとして青色光を出射するＬＥＤを使用している。発光部２２ａは、赤外光より波長が短く、回り込みや反射の度合いが少ない可視光を発光するものであれば緑色光や赤色光を出射するＬＥＤや、可視光を発光する半導体レーザー素子でも発光部として採用することが可能である。
【００２９】
制限部２２ｂは、ＬＥＤパネル３への可視光信号の出射範囲を制限することで、可視光信号の通信路を制限する遮蔽部材である。本実施の形態では、遮蔽部材として金属板をコ字状に折り曲げ、開口部を通信方向に向けて配置したものを採用している。遮蔽部材は、可視光信号の出射範囲が制限できれば、金属板をコ字状に折り曲げたものとする以外に、開口部を有する箱状とすることができる。また、遮蔽部材を金属板で形成する場合には、ステンレスなど内側面が金属光沢面となっているものが、可視光信号の強度を高めることができるので望ましい。その場合には、遮蔽部材を通信方向へ向かって徐々に開口が広がるように形成すると、より効果的である。
【００３０】
図３に示すように、ＬＥＤパネル３は、おもて面側に、ＬＥＤアレイが搭載され、制御ＩＣやメモリＩＣなどの電子部品は裏面側に搭載されている。ＬＥＤパネル３は、表示パネル部３０と、受信部３１と、送信部２２と、インタフェース制御部３２と、フレームバッファメモリ部３３と、表示制御部３４と、ＬＥＤドライバ部３５と、コマンド制御部３６と、輝度制御部３７と、ボリューム部３８と、メモリ部３９と、制御レジスタ部４０とを備えている。なお、送信部２２は、コントローラ２に搭載された送信部２２と基本的に同じなので説明は省略する。
【００３１】
表示パネル部３０は、横に１６個、縦に１６個の単色の発光ダイオードがマトリクス状に配置されたＬＥＤアレイである。
【００３２】
受信部３１は、可視光信号として送信された表示データおよび制御コマンドを受信する受光部３１ａと可視光信号の通信路を制限する制限部３１ｂとを備えている。
【００３３】
受光部３１ａは、可視光信号を電気信号へ受光強度に応じて変換する光電変換素子である。本実施の形態では、受光部３１ａとして青色光にピーク感度波長を有する受光素子を使用している。この受光部３１ａは、発光部２２ａが出射する可視光信号の波長に応じたピーク感度波長を有する受光素子を採用するのが望ましい。
【００３４】
制限部３１ｂは、送信部からの可視光信号が後方へ伝達することを制限することで、可視光信号の通信路を制限する遮蔽部材である。本実施の形態では、遮蔽部材として金属板をコ字状に折り曲げ、開口部を通信方向に向けて配置したものを採用しているが、コントローラ２に搭載された制限部２２ｂと同様に、可視光信号の出射範囲が制限できれば、金属板をコ字状に折り曲げたものとする以外に、開口部を有する箱状とすることができる。また、遮蔽部材を金属板で形成する場合には、ステンレスなど内側面が金属光沢面となっているものが、集光効果が期待できるので望ましい。その場合には、制限部２２ｂと同様に、遮蔽部材を通信方向へ向かって徐々に開口が広がるように形成すると、より効果的である。
【００３５】
インタフェース制御部３２には、受信部３１により受信した表示データや制御コマンドを入力して、シリアルデータからパラレルデータへ変換したり、入力した表示データや制御コマンドを次段のＬＥＤパネル３へ送信部２２を介して出力したりする。
【００３６】
フレームバッファメモリ部３３は、インタフェース制御部３２によりシリアルからパラレルに変換された表示データを記憶する読み書き可能なメモリである。このフレームバッファメモリ部３３は、表示パネル部３０全体の表示データを記憶する容量を有している。
【００３７】
表示制御部３４は、フレームバッファメモリ部３３へ読み取りアドレスを出力して表示データを読み出し、読み出した表示データをＬＥＤドライバ部３５に出力する。
【００３８】
ＬＥＤドライバ部３５は、表示制御部３４からの表示データを表示パネル部３０へ出力する。このときＬＥＤドライバ部３５は、ボリューム部３８により調整された輝度で表示パネル部３０を点灯させる。
【００３９】
コマンド制御部３６は、コントローラ２から送信されたコマンドが指定するパネルアドレスが自パネルアドレスであった場合に、そのコマンドを解析して、表示パネル部３０を制御するものである。
【００４０】
輝度制御部３７は、制御コマンドより通知された輝度アップ、または輝度ダウンにより段階的に設定された輝度レベルをボリューム部３８へ通知するものである。
【００４１】
ボリューム部３８は、輝度制御部３７から通知された輝度レベルに応じた値をＬＥＤドライバ部３５へ通知する。このボリューム部３８とＬＥＤドライバ部３５とでＬＥＤを点灯させるときの電流を供給する電流供給手段として機能する。
【００４２】
メモリ部３９は、他の表示ユニットと識別するためのアドレス情報などの各種設定情報や、表示パネル部３０の点灯時間に応じた輝度低下を示す輝度低下時間情報、表示パネル部３０に通電する電流と、通電した電流に対する輝度との関係を示す電流対輝度特性情報などを格納する記憶手段として機能するもので、書き換え可能な不揮発性メモリである。
【００４３】
制御レジスタ部４０は、メモリ部３９から読み込まれた各種の設定情報や、自ユニットのパネルアドレスが格納されているレジスタ群である。
【００４４】
以上のように構成された本発明の実施の形態に係る表示装置１の動作について、図面に基づいて説明する。図４は、コントローラから出力される１ラインごとの信号のタイミングを説明するためのタイムチャートである。図５は、コントローラから出力される１ライン分の信号のタイミングを説明するためのタイムチャートである。
【００４５】
コントローラ２からの信号は、図４に示すように、１ラインごとに表示アドレス信号（Ａ［０：３］）を順次切り替えながら、表示データ信号（ＤＴＡ）にて表示データがＬＥＤパネル３へ送信される。
【００４６】
コントローラ２は、表示アドレス信号（Ａ［０：３］）にて表示パネル部３０の縦列方向のラインをＹ１〜Ｙ１６で指定している間、表示データ信号（ＤＴＡ）にて表示データを、取り込むタイミングを示すシフトクロック信号（ＤＣＬＫ）と共に送信している。シフトクロック信号（ＤＣＬＫ）は、クロック有効信号（ＡＥＰ）がＬレベルの間のみ出力される。そして、各ラインの最後を示すタイミングでエンド信号（ＷＲＰ）がＨレベルで出力される。
【００４７】
図４に示すように、コントローラ２は、表示パネル部３０の縦列方向のラインを示す表示アドレスＹ１を出力している間、表示データと、この表示データを取り込むタイミングを示すシフトクロック信号（ＤＣＬＫ）と、このシフトクロック信号が有効であることを示すクロック有効信号（ＡＥＰ）を出力する。
【００４８】
本実施の形態では、コントローラ２に、横に１６個、縦に１６個の１６ドットサイズのＬＥＤパネル３が４台縦続接続されているので、１ライン全体のドット数は６４ドットとなる。従って、コントローラ２からは、１ビットのシリアルデータである表示データＸ１〜Ｘ６４が出力される。
【００４９】
コントローラ２の表示データ生成部２１から生成されたこれらの電気信号は、送信部２２のそれぞれの発光部２２ａにより可視光信号に変換され、出射される。この可視光信号の出射範囲は、制限部２２ｂとして設けられた遮蔽部材により、隣接配置されたＬＥＤパネル３に発光部２２ａに対して対向配置された受信部３１以外には広がらないように制限されている。従って、最前段のＬＥＤパネル３以外のＬＥＤパネル３へ可視光信号が到達してしまうことを防止することができる。また、制限部２２ｂとして設けられた遮蔽部材が金属板により形成されているので、可視光信号の出射範囲を制限しつつ、信号強度を高めた状態で送信することができる。
【００５０】
最前段のＬＥＤパネル３は、受信部３１のそれぞれの受光部３１ａによりコントローラ２からの可視光信号を受信する。また、コントローラ２から送信され、受光部３１ａ以外に向かう可視光信号は、制限部３１ｂにより後方へ伝達してしまうことが阻止される。従って、後方のＬＥＤパネル３へコントローラ２からの可視光信号が伝達されてしまうことが防止できる。また、制限部３１ｂとして設けられた遮蔽部材が金属板により形成されているので、可視光信号が後方へ伝達されることを阻止しつつ、内側面に反射させて受光部３１ａへ戻すことができるので、信号強度を高めた状態で受信することができる。
【００５１】
受光部３１ａにより受信された可視光信号は電気信号へ変換されてインタフェース制御部３２へ出力される。
【００５２】
インタフェース制御部３２は、表示データＸ１〜Ｘ６４を、順次取り込みながら、後段となる次のＬＥＤパネル３へ送信する。
【００５３】
以下、ＬＥＤパネル３の送信部２２を介して次のＬＥＤパネル３の受信部３１に向けて可視光信号が送信されるが、コントローラ２と最前段のＬＥＤパネル３との間での送受信と基本的に同様なので説明は省略する。
【００５４】
このように、本実施の形態に係る表示装置１では、情報を伝達する信号として、赤外線信号と比較して反射や回り込みが少ない可視光信号を用いているので、隣接配置されたコントローラ２（第１の装置）とＬＥＤパネル３（第２の装置）、および送信側のＬＥＤパネル３（第１の装置）と受信側のＬＥＤパネル３（第２の装置）同士が対向配置されることで、コントローラ２やＬＥＤパネル３の送信部２２からの可視光信号が、他のＬＥＤパネル３の受信部３１へ到達し難くなる。従って、他のＬＥＤパネル３への影響を抑えることができるので、コントローラ２とそれぞれのＬＥＤパネル３とをケーブルを介さずとも確実に伝達でき、他のＬＥＤパネル３への誤作動の発生を防止することができる。よって、可視光信号を使用して情報の伝達を行うコントローラ２の送信部２２と、それぞれのＬＥＤパネル３に搭載された送信部２２と受信部３１とで構成された光伝送装置は、高い信頼性を図ることができる。
【００５５】
なお、本実施の形態では、コントローラ２の送信部２２およびＬＥＤパネル３の送信部２２には制限部２２ｂが、ＬＥＤパネル３の受信部３１には制限部３１ｂが設けられているが、いずれか一方でも可視光信号の漏洩が抑制されるのでよい。しかし、両方に制限部２２ｂ，３１ｂが設けられている方がより確実に可視光信号の漏洩を阻止することができるので望ましい。
【００５６】
また、制限部２２ｂ，３１ｂは金属板を折り曲げた遮蔽部材とする以外に、図６に示すように、透明の導光部材を制限部とすることも可能である。この図６に示す制限部５１は、直方体状に形成された透明の導光部材５１ａの基端側にＬＥＤ５２を収納可能な空間が設けられている。そして、導光部材５１ａの先端面を除く周囲面（後端面を含む）全体に反射面を形成することで、ＬＥＤ５２が出射する可視光信号の通信路を制限するものである。図６に示す制限部５１は送信側であるが、受信側の制限部も同様とすることが可能である。
【００５７】
つまり、可視光信号の出射範囲を制限したり、後方へ伝達することを制限したりすることができるものであれば制限部として採用することができる。
【００５８】
また、本実施の形態では、送信部２２と受信部３１とを信号線の数分だけ配置することで、従来の発光装置からの変更の度合いを少なくすることができるが、表示データおよび制御コマンドを時分割で送受信することで、１組の送信部および受信部とすることができる。また、フルカラーＬＥＤパネルなど送信データが多い（表示データ信号の信号幅が多い）場合でも、表示データを時分割で送受信することにより送信部と受信部を減らすことがコスト的、実装面積的に有効である。
【００５９】
本実施の形態では、表示装置を例に説明したが、送信側と受信側との間に可視光信号を阻害するものがないように隣接配置され、可視光信号を送信する送信部と、可視光信号を受信する受信部とが対向配置可能な装置であれば、本発明を適用することが可能である。
【産業上の利用可能性】
【００６０】
本発明は、送信側から受信側へケーブルを介さずとも確実に伝達でき、他の装置への誤作動の発生を防止することができることで高い信頼性を図ることができるので、情報を伝達に光信号を用いた光伝送装置および表示装置に好適である。
【図面の簡単な説明】
【００６１】
【図１】本発明の実施の形態に係る表示装置を示す斜視図
【図２】図１に示す表示装置の構成を示す図
【図３】ＬＥＤパネルの構成を示す図
【図４】コントローラから出力される１ラインごとの信号のタイミングを説明するためのタイムチャート
【図５】コントローラから出力される１ライン分の信号のタイミングを説明するためのタイムチャート
【図６】本実施の形態に係る制限部の変形例を示す斜視図
【図７】従来の発光装置を説明するための図
【符号の説明】
【００６２】
１  表示装置
２  コントローラ
３  ＬＥＤパネル
２１  表示データ生成部
２２  送信部
２２ａ  発光部
２２ｂ  制限部
３０  表示パネル部
３１  受信部
３１ａ  受光部
３１ｂ  制限部
３２  インタフェース制御部
３３  フレームバッファメモリ部
３４  表示制御部
３５  ＬＥＤドライバ部
３６  コマンド制御部
３７  輝度制御部
３８  ボリューム部
３９  メモリ部
４０  制御レジスタ部
５１  制限部
５１ａ  導光部材
５２  ＬＥＤ
【図１】
2010124172.tif 000003
【図２】
2010124172.tif 000004
【図３】
2010124172.tif 000005
【図４】
2010124172.tif 000006
【図５】
2010124172.tif 000007
【図６】
2010124172.tif 000008
【図７】
2010124172.tif 000009